(57)【特許請求の範囲】
【請求項１】
複数の部品に関しコンピュータの支援による設計をする際に、該複数の部品にそれぞれ対応する複数の２次元の部品図形を互いに重ね合わせて表示するための図形表示制御装置において、
前記複数の部品図形の各々に関し、前記部品の高さレベルの情報を予め格納する部品図形格納手段と、
高さレベルの検索方法を選択する手段と、
基準となる部品図形を、選択された前記検索方法に応じた数だけ指定する手段と、
選択された前記検索方法と指定された前記部品図形の高さレベルにより定まる範囲内の高さレベルを有する部品図形のみを前記部品図形格納手段から取り出す表示図形検索手段と、
前記表示図形検索手段から出力される部品図形を表示する図形表示手段とを有し、
前記高さレベルの検索方法として、(1) 前記複数の部品図形の高さレベルの上限値および下限値により指定される領域に存在するような表示範囲対象の部品図形を検索する方法、(2) 同一の高さレベルにより指定される位置に存在するような同一表示対象の部品図形を検索する方法、(3) 指定された高さレベル以下の領域に存在するような下位表示対象の部品図形を検索する方法、および、(4) 指定された高さレベル以上の領域に存在するような上位表示対象の部品図形を検索する方法を含む少なくとも４通りの方法があり、前記高さレベルの検索方法を選択する手段が、前記の少なくとも４通りの方法の中の一つを選択するようになっていることを特徴とする図形表示制御装置。
【発明の詳細な説明】
【０００１】
【発明の属する技術分野】
本発明は、コンピュータによる支援を利用した設計システム〔以下、ＣＡＤ（Computer Aided Design ）と略記する〕において、複数の部品にそれぞれ対応する複数の部品図形を互いに重ね合わせて２次元的に表示するための図形表示制御装置に関する。
【０００２】
さらに詳しくいえば、本発明は、２次元のＣＡＤにおける図形編集、特に、互いに重なり合う歯車等の部品図形の形状変更や、部品図形の配置関係の移動を行うために、複数の部品図形を画面上に重ね合わせて表示する機能を有する図形表示制御装置に関するものである。
【０００３】
【従来の技術】
一般に、２次元のＣＡＤを利用して部品図形の編集をする場合、自動隠線機能を持たせずに複数の部品図形の枠の線だけをＣＲＴ（陰極線管）等の画面上で重ね合わせて表示したときは、下位の位置に存在する部品図形の枠の線がすべて透けて見える。このために、複数の部品の高さ方向に関する相互関係を把握しにくくなるという不都合が生ずる。
【０００４】
このような不都合に対処するために、従来の図形表示制御装置においては、２次元のＣＡＤに自動隠線機能を持たせることにより、各々の部品図形を塗りつぶすことで下位の位置に存在する部品図形が透けて見えないようにしている。
このような自動隠線機能を利用して部品図形の編集をすることによって、画面上で複数の部品の高さ方向に関する相互関係がＣＲＴ等の画面上で容易に把握することが可能になり、部品図形の形状変更や、部品図形の配置関係の移動が効率良く行えると考えられる。
【０００５】
【発明が解決しようとする課題】
しかしながら、上記のような自動隠線機能を有するＣＡＤを利用した図形表示制御装置においては、多数の部品を組み合わせて作成される組立図中で、ある一部の部品の形状や配置関係等を変更しようとした場合、変更したい部品以外の部品が邪魔になって変更したい部品を画面上で操作することが却って難しくなるという問題が発生する。
【０００６】
特に、上位の位置に存在する部品の部品図形が、下位の位置に存在する部品の部品図形よりも大きい場合、下位の位置の部品が透けて見えないために、上位の位置の部品に隠れて表示されなくなってしまう。このために、設計者等が下位の位置の部品図形の編集を行おうとしても、画面上でこの部品図形を見ることさえできないという事態が生じてくる。
【０００７】
本発明は上記問題点に鑑みてなされたものであり、自動隠線機能を有するＣＡＤにより多数の部品を組み合わせて組立図等を作成する場合、特定の部品の形状や配置関係等を変更しようとしたときに、変更したい部品以外の部品が邪魔になることなく変更したい部品の部品図形を画面上で容易に操作することが可能な図形表示制御装置を提供することを目的とするものである。
【０００８】
【課題を解決するための手段】
上記問題点を解決するために、本発明の図形表示制御装置は、複数の部品に関しコンピュータの支援による設計をする際に、上記複数の部品にそれぞれ対応する複数の２次元の部品図形を互いに重ね合わせて表示するために、上記複数の部品図形の各々に関し、上記部品の高さレベルの情報を予め格納する部品図形格納手段と、高さレベルの検索方法を選択する手段と、基準となる部品図形を、選択された上記検索方法に応じた数だけ指定する手段と、選択された上記検索方法と指定された上記部品図形の高さレベルにより定まる範囲内の高さレベルを有する部品図形のみを上記部品図形格納手段から取り出す表示図形検索手段と、この表示図形検索手段から出力される部品図形を表示する図形表示手段とを有する。
図１は、本発明の前提となる図形表示制御装置の構成を示すブロック図である。本発明は、複数の部品に関しＣＡＤによる設計をする際に、これらの複数の部品にそれぞれ対応する複数の２次元の部品図形を互いに重ね合わせて表示するための図形表示制御装置を対象とする。ただし、ここでは、図形表示制御装置の構成を簡略化して示すこととする。
【０００９】
より詳しくいえば、図１の図形表示制御装置は、複数の部品図形の各々に関し、各部品の高さレベルの情報を予め格納する部品図形格納手段２と、部品図形表示の対象とする部品の高さレベルの範囲を入力する表示範囲入力手段３と、この表示範囲入力手段３により入力された各部品の高さレベルの範囲内に存在する部品図形を部品図形格納手段２から検索して取り出すための表示図形検索手段４とを備えている。さらに、この表示図形検索手段４から出力される部品図形が選択的に表示されるように構成される。
【００１０】
好ましくは、本発明の図形表示制御装置は、表示図形検索手段４から出力される部品図形を表示する図形表示手段５を備えている。
さらに、好ましくは、表示範囲入力手段３により指定される高さレベルの範囲が、一つの高さレベルのみを示すようになっている。
さらに、好ましくは、表示範囲入力手段３により指定される高さレベルの範囲が、一つの高さレベル以下の領域を示すようになっている。
【００１１】
さらに、好ましくは、表示範囲入力手段３により指定される高さレベルの範囲が、一つの高さレベル以上の領域を示すようになっている。
【００１２】
本発明においては、部品図形の編集を行う場合、特定の部品の形状や配置関係等を変更することになるので、所定の高さレベルの範囲内に存在する一部の部品を表示することができれば充分であるという点に着目し、２次元の部品図形に高さレベルという情報をもたせるようにしている。さらに、設計者等が指定した高さレベルの範囲内に存在する部品図形のみを画面上に表示することにより、当該部品図形の画面上での操作が容易に行えるようにしている。
【００１３】
さらに詳しく説明すると、例えば図１に示すような図形表示制御装置により部品図形の編集を行う場合、まず、設計者は、各部品の部品図形に対し高さレベルを設定し、記憶部等からなる部品図形格納手段２に予め格納する。各々の部品図形に対する高さレベルは、部品作製時または部品配置時等のどのタイミングで設定してもよい。
【００１４】
次に、設計者は、ポインティングデバイス等の表示範囲入力手段３により、部品の形状や位置関係等を変更するための部品図形表示の対象とする任意の高さレベルの範囲を部品図形格納手段２に入力する。この場合、高さレベルの範囲は、基本的に、その上限値および下限値でもって指定される。
さらに、部品図形格納手段２において、表示範囲入力手段３により指定された高さレベルの範囲内に存在する部品図形を部品図形格納手段２から取り出し、図形表示部等の図形表示手段５に入力する。
【００１５】
この図形表示手段５では、表示範囲入力手段３により指定された高さレベルの範囲内に存在する部品図形を選択的に画面上に表示する。
ここで、上記の高さレベルの範囲として、同じ値の上限値および下限値、すなわち、一つの高さレベルを指定することも可能である。この場合には、設計者が指示した高さレベルの部品図形のみが画面上に表示される。
【００１６】
さらに、上記の高さレベルの範囲を指定する際に、下限値を最小の値（例えば、零）に設定することも可能である。このときには、設計者が指示した高さレベル（上限値）以下の領域に存在する部品図形が画面上に表示される。
さらにまた、上記の高さレベルの範囲を指定する際に、上限値を最大の値（例えば、無限大）に設定することも可能である。このときには、設計者が指示した高さレベル（下限値）以上の領域に存在する部品図形が画面上に表示される。
【００１７】
いずれの指定方法により部品図形の表示範囲を指定した場合でも、部品に高さレベルという情報をもたせ、この高さレベルに基づき設計者が必要な部品図形を選択して表示することができるので、形状や位置関係等を変更したい部品以外の部品が邪魔になることはなくなる。
かくして、本発明では、自動隠線機能を有するＣＡＤにより多数の部品を組み合わせて組立図等を作成する場合、設計者が作業の流れを中断することなく簡単な操作で部品図形の表示・編集を行うことができるようになり、組立図等の作図を簡単に行うことが可能になる。
【００１８】
【発明の実施の形態】
以下、添付図面（図２〜図１０）を参照しながら本発明の好適な実施例について説明する。
図２は本発明の一実施例の構成を示すブロック図である。ただし、ここでは、自動隠線機能を有する２次元のＣＡＤにおいて、指定された部品図形をＣＲＴ等の画面上に表示して部品図形の編集を行うための図形表示制御装置１の構成を代表して示すこととする。なお、これ以降、前述した構成要素と同様のものについては、同一の参照番号を付して表すこととする。
【００１９】
図２の図形表示制御装置１の実施例においては、表示図形検索手段４（図１）として、ＣＰＵ（中央処理装置）やＭＰＵ（マイクロプロサッサユニット）により実現される図形表示制御部４０を設けている。この図形表示制御部４０は、部品図形の高さレベルの上限値および下限値により指定される領域に存在するような表示範囲対象の部品図形を検索する機能４０ａと、同一の高さレベルにより指定される位置に存在するような同一表示対象の部品図形を検索する機能４０ｂと、指定された高さレベル（上限値）以下の領域に存在するような下位表示対象の部品図形を検索する機能４０ｃと、指定された高さレベル（下限値）以上の領域に存在するような上位表示対象の部品図形を検索する機能４０ｄとを備えている。
【００２０】
さらに、図２においては、ＣＡＤにより作成される組立図中の複数の部品図形の各々に関し、部品の高さレベルの情報を設定する部品高さレベル設定部６が設けられている。この部品高さレベル設定部６は、一般のコンピュータシステムにて使用されるキーボード等の入力手段により構成される。この入力手段の操作によって、複数の部品図形の各々に関する高さレベルの情報が、図形表示制御部４０を介して部品図形格納手段２（図１）に記憶される。
【００２１】
さらに、図２においては、この部品図形格納手段２として、ＲＯＭ（読み出し専用メモリ）やＲＡＭ（ランダムアクセスメモリ）等からなる部品図形記憶部２０が設けられている。この部品図形記憶部２０内には、組立図中の各部品の通し番号（Ｎｏ．）およびタイプ（トランジスタ、コンデンサまたは抵抗等）と、対応する高さレベルとがテーブルの形式で予め記憶される。各部品の高さレベルは、部品を作製する段階、または、部品を配置する段階等の任意の段階で設定することが可能である。なお、部品図形記憶部２０を構成するＲＯＭやＲＡＭとして、ＣＰＵやＭＰＵに内蔵のＲＯＭまたはＲＡＭを使用することもできる。
【００２２】
さらに、図２においては、表示範囲検索手段３（図１）として、キーボード、または、マウスやジョイスティック等のポインティングデバイスから構成される高さレベル表示範囲入力部３０が設けられている。設計者は、この高さレベル表示範囲入力部３０のポインティングデバイスを操作し、部品図形編集のための図形表示の対象とする高さレベルの上限値および下限値を図形表示制御部４０に入力することによって、高さレベルの表示範囲を指定する。
【００２３】
この高さレベルの表示範囲を指定するための具体的な方法として、次のような方法が挙げられる。
(1) 第１の方法では、キーボードを操作して、部品図形編集のための図形表示の対象とする部品の高さレベルの上限値および下限値に相当する数値をほぼ同時に入力する。この場合、２次元のＣＡＤにおいては、自動隠線機能を有する状態にしておく。
【００２４】
(2) 第２の方法では、一旦、ＣＡＤの自動隠線機能を外し、非隠線処理モードにした上で、部品図形編集のための図形表示の対象とする部品の高さレベルの上限値または下限値のいずれか一方の座標をポインティングデバイスにより指定する。
このようなポインティングデバイスの操作により、指定された高さレベル以下の領域に存在するような下位表示対象の部品図形、または、指定された高さレベル以上の領域に存在するような上位表示対象の部品図形を容易に検索することができる。さらに、部品の高さレベルの上限値および下限値の両方を指定することが必要ならば、まだ指定されていない側（上限値または下限値）の座標を同じような手順により指定することによって、高さレベルの表示範囲が指定される。このような高さレベルの指定が完了した後に、ＣＡＤの自動隠線機能を再び付加する。
【００２５】
さらに、図２においては、図形表示手段５（図１）として、表示対象の部品図形を画面上に表示するためのＣＲＴ等からなる図形表示部５０が設けられている。この図形表示部５０では、高さレベル表示範囲入力部３０の指定に基づき部品図形記憶部２０から取り出され、かつ、部品図形編集のための図形表示の対象となる部品図形が画面上に表示される。設計者は、自動隠線機能を有するＣＡＤを利用し、図形表示部５０の画面上に選択的に表示される部品図形を操作してその形状を変更したり位置を移動させたりすることによって、多数の部品図形からなる組立図等を容易に作成することが可能になる。
【００２６】
ついで、図３〜図７のフローチャートを参照しながら、本発明の実施例により部品図形の編集を行うための一連の部品図形表示制御動作を詳しく説明することとする。
図３は、図２の実施例の部品図形表示制御動作を説明するためのフローチャート、図４は、範囲表示機能に基づき部品図形を表示する手順を説明するためのフローチャート、図５は、図３の同一表示機能に基づき部品図形を表示する手順を説明するためのフローチャート、図６は、図３の下位表示機能に基づき部品図形を表示する手順を説明するためのフローチャート、そして、図７は、図３の上位表示機能に基づき部品図形を表示する手順を説明するためのフローチャートである。
【００２７】
本発明の実施例により部品図形表示制御動作を実行する場合、まず、図３のステップＳ１において、部品図形表示の対象とする部品の高さレベルの検索方法が設計者により選択される。ここで、部品の高さレベルの検索方法として、(1)部品図形の高さレベルの上限値および下限値により指定される領域に存在するような表示範囲対象の部品図形を検索する方法、(2)同一の高さレベルにより指定される位置に存在するような同一表示対象の部品図形を検索する方法、(3)指定された高さレベル以下の領域に存在するような下位表示対象の部品図形を検索する方法、および、(4)指定された高さレベル以上の領域に存在するような上位表示対象の部品図形を検索する方法の４通りが挙げられる。
【００２８】
次に、設計者が、上記の第１番目の表示範囲対象の部品図形を検索する方法を選択した場合（ステップＳ２）、部品図形表示の対象とする部品の高さレベルの下限値に相当する高さレベルＡ、および、上限値に相当する高さレベルＣが設計者により指定され、図形表示制御部４０に入力される（ステップＳ３、Ｓ４）。さらに、図形表示制御部４０において、表示範囲対象の部品図形を検索する機能が実行される（ステップＳ５）。
【００２９】
さらに、図４を参照しながら、範囲表示対象の部品図形を検索する機能に基づき部品図形を図形表示部５０に表示する手順を説明する。
範囲表示対象の部品図形を検索する機能が実行された場合、図４のステップＳ５１に示すように、図形表示制御部４０は、任意の部品の高さレベルＢを部品図形記憶部２０から取得する。
【００３０】
さらに、図形表示制御部４０において、Ａ＜＝Ｂ＜＝Ｃの条件式を満足する高さレベルを有する部品図形、すなわち、高さレベルＡ〜高さレベルＣの表示範囲内に存在する部品の部品図形を検索し（図４のステップＳ５２）、このようにして検索された部品図形を図形表示部５０の画面上に表示する（ステップＳ５３）。高さレベルＡ〜高さレベルＣの表示範囲内の部品がすべて検索された時点で、ステップＳ５１〜ステップＳ５３の動作は完了する（ステップＳ５４）。
【００３１】
ここで、再び、図３に戻り、ステップＳ２以降の動作を説明する。設計者が、上記の第２番目〜第４番目のいずれかの部品図形検索方法を選択した場合（ステップＳ２）、部品図形表示の対象とする部品の高さレベルＡが設計者により指定され、図形表示制御部４０に入力される（ステップＳ６）。さらに、図形表示制御部４０において、高さレベルＡが同一表示対象の部品図形の高さレベル設定に関係するものであることを検出した場合（ステップＳ７）、同一表示対象の部品図形を検索する機能が実行される（ステップＳ８）。
【００３２】
さらに、図５を参照しながら、同一表示対象の部品図形を検索する機能に基づき部品図形を図形表示部５０に表示する手順を説明する。
同一表示対象の部品図形を検索する機能が実行された場合、図５のステップＳ８１に示すように、図形表示制御部４０は、任意の部品の高さレベルＢを部品図形記憶部２０から取得する。
【００３３】
さらに、図形表示制御部４０において、Ａ＝Ｂの条件式を満足する高さレベルを有する部品図形、すなわち、高さレベルＡの位置のみに存在する部品の部品図形を検索し（図５のステップＳ８２）、このようにして検索された部品図形を図形表示部５０の画面上に表示する（ステップＳ８３）。高さレベルＡの位置の部品がすべて検索された時点で、ステップＳ８１〜ステップＳ８３の動作は完了する（ステップＳ８４）。
【００３４】
ここで、再び、図３に戻り、ステップＳ９以降の動作を説明する。図形表示制御部４０において、高さレベルＡが下位表示対象の部品図形の高さレベル設定に関係するものであることを検出した場合（ステップＳ９）、下位表示対象の部品図形を検索する機能が実行される（ステップＳ１０）。
さらに、図６を参照しながら、下位表示対象の部品図形を検索する機能に基づき部品図形を図形表示部５０に表示する手順を説明する。
【００３５】
下位表示対象の部品図形を検索する機能が実行された場合、図６のステップＳ１０１に示すように、図形表示制御部４０は、任意の部品の高さレベルＢを部品図形記憶部２０から取得する。
さらに、図形表示制御部４０において、Ａ＞＝Ｂの条件式を満足する高さレベルを有する部品図形、すなわち、高さレベルＡ以下の領域に存在する部品の部品図形を検索し（図６のステップＳ１０２）、このようにして検索された部品図形を図形表示部５０の画面上に表示する（ステップＳ１０３）。高さレベルＡ以下の領域の部品がすべて検索された時点で、ステップＳ１０１〜ステップＳ１０３の動作は完了する（ステップＳ１０４）。
【００３６】
ここで、再び、図３に戻り、ステップＳ９およびステップＳ１１の動作を説明する。図形表示制御部４０において、高さレベルＡが上位表示対象の部品図形の高さレベル設定に関係するものであることを検出した場合（ステップＳ９）、上位表示対象の部品図形を検索する機能が実行される（ステップＳ１１）。
さらに、図７を参照しながら、上位表示対象の部品図形を検索する機能に基づき部品図形を図形表示部５０に表示する手順を説明する。
【００３７】
上位表示対象の部品図形を検索する機能が実行された場合、図７のステップＳ１１１に示すように、図形表示制御部４０は、任意の部品の高さレベルＢを部品図形記憶部２０から取得する。
さらに、図形表示制御部４０において、Ａ＜＝Ｂの条件式を満足する高さレベルを有する部品図形、すなわち、高さレベルＡ以上の領域に存在する部品の部品図形を検索し（図６のステップＳ１１２）、このようにして検索された部品図形を図形表示部５０の画面上に表示する（ステップＳ１１３）。高さレベルＡ以上の領域の部品がすべて検索された時点で、ステップＳ１１１〜ステップＳ１１３の動作は完了する（ステップＳ１１４）。
【００３８】
本発明の実施例によれば、自動隠線機能を有するＣＡＤにより多数の部品を組み合わせて組立図等を作成する場合、設計者は、高さレベルの情報をもとに、部品図形表示の対象とする部品を検索することができる。したがって、一部の部品の形状や配置関係等を変更しようとしたときに、必要とする部品のみを選択して画面上に表示することにより、変更したい部品の部品図形を画面上で容易に操作することが可能になり、多数の部品を組み合わせた組立図等の作成が簡単に行える。
【００３９】
次に、図８〜図１０を参照しながら、前述の図５〜図７の動作に従って表示対象の部品図形を図形表示部５０に表示した状態を示すこととする。
図８は、同一表示対象の部品図形を取り出して図形表示部に表示した状態を示す図、図９は、下位表示対象の部品図形を取り出して図形表示部に表示した状態を示す図、そして、図１０は、上位表示対象の部品図形を取り出して図形表示部に表示した状態を示す図である。
【００４０】
同一表示対象の部品図形を検索する機能が実行されると（図５参照）、図８において、部品の高さレベルＡ、すなわち、基準となる部品図形中の要素Ｅ１が指定される。本発明の実施例による図形表示制御装置を使用しない場合、自動隠線機能を有するＣＡＤを利用しているときは、図８の左側の部分に示すように、組立図中の全ての部品Ｐが表示されている。これに対し、本発明の実施例による図形表示制御装置を使用した場合、図８の右側の部分に示すように、基準となる部品図形中の要素Ｅ１に対応する部品図形Ｐｓのみが取り出されて表示される。
【００４１】
さらに、下位表示対象の部品図形を検索する機能が実行されると（図６参照）、図９において、前述の図８の場合と同じように、基準となる部品図形中の要素Ｅ１が指定される。本発明の実施例による図形表示制御装置を使用しない場合、自動隠線機能を有するＣＡＤを利用しているときは、図９の左側の部分に示すように、組立図中の全ての部品Ｐが表示されている。これに対し、本発明の実施例による図形表示制御装置を使用した場合、図９の右側の部分に示すように、基準となる部品図形中の要素Ｅ１より下位の位置に存在する一部の部品図形Ｐｄが取り出されて表示される。
【００４２】
さらに、上位表示対象の部品図形を検索する機能が実行されると（図７参照）、図１０において、前述の図９の場合と同じように、基準となる部品図形中の要素Ｅ１が指定される。本発明の実施例による図形表示制御装置を使用しない場合、自動隠線機能を有するＣＡＤを利用しているときは、図１０の左側の部分に示すように、組立図中の全ての部品Ｐが表示されている。これに対し、本発明の実施例による図形表示制御装置を使用した場合、図１０の右側の部分に示すように、基準となる部品図形中の要素Ｅ１より上位の位置に存在する一部の部品図形Ｐｕが取り出されて表示される。
【００４３】
図８〜図１０のいずれの場合においても、設計者が必要とする部品図形を検索して図形表示部５０の画面上に表示することができるので、設計者が作業の流れを中断することなく簡単な操作で部品図形の表示・編集を行うことが可能になる。
【００４４】
【発明の効果】
以上説明したように、本発明の図形表示制御装置によれば、第１に、自動隠線機能を有する２次元のＣＡＤにより多数の部品を組み合わせて組立図等を作成する場合、各部品に高さレベルという情報をもたせ、この高さレベルに基づき設計者が必要な部品図形を選択して表示することができるので、作業の流れを中断することなく簡単な操作で部品図形の表示・編集を行うことができるようになり、組立図等の作図を簡単に行うことが可能になる。この結果、本発明の図形表示制御装置は、２次元のＣＡＤに部品図形編集機能に大きく寄与する。
【００４５】
さらに、本発明の図形表示制御装置によれば、第２に、必要な部品図形をＣＲＴ等の図形表示手段の画面上に選択して表示することができるので、画面上の部品図形を見ながら簡単な操作で部品図形の形状および位置関係等の変更を行うことが可能になる。
さらに、本発明の図形表示制御装置によれば、第３に、同一の高さレベルに存在する部品図形を選択して表示することができるので、この高さレベルのみの部品図形の形状等および位置関係の変更を行う場合に好都合である。
【００４６】
さらに、本発明の図形表示制御装置によれば、第４に、基準の高さレベル以下の領域に存在する部品図形を選択して表示することができるので、基準の高さレベル以下の領域で部品図形の形状等および位置関係の変更を行う場合に好都合である。
さらに、本発明の図形表示制御装置によれば、第５に、基準の高さレベル以上の領域に存在する部品図形を選択して表示することができるので、基準の高さレベル以上の領域で部品図形の形状等および位置関係の変更を行う場合に好都合である。
【図面の簡単な説明】
【図１】本発明の前提となる図形表示制御装置の構成を示すブロック図である。
【図２】本発明の一実施例の構成を示すブロック図である。
【図３】図２の実施例の部品図形表示制御動作を説明するためのフローチャートである。
【図４】図３の範囲表示機能に基づき部品図形を表示する手順を説明するためのフローチャートである。
【図５】図３の同一表示機能に基づき部品図形を表示する手順を説明するためのフローチャートである。
【図６】図３の下位表示機能に基づき部品図形を表示する手順を説明するためのフローチャートである。
【図７】図３の上位表示機能に基づき部品図形を表示する手順を説明するためのフローチャートである。
【図８】同一表示対象の部品図形を取り出して図形表示部に表示した状態を示す図である。
【図９】下位表示対象の部品図形を取り出して図形表示部に表示した状態を示す図である。
【図１０】上位表示対象の部品図形を取り出して図形表示部に表示した状態を示す図である。
【符号の説明】
１…図形表示制御装置
２…部品図形格納手段
３…表示範囲入力手段
４…表示図形検索手段
５…図形表示手段
６…部品高さレベル設定部
２０…部品図形記憶部
３０…高さレベル表示範囲入力部
４０…図形表示制御部
５０…図形表示部
【図１】
0003649715.tif 000002
【図２】
0003649715.tif 000003
【図３】
0003649715.tif 000004
【図４】
0003649715.tif 000005
【図５】
0003649715.tif 000006
【図６】
0003649715.tif 000007
【図７】
0003649715.tif 000008
【図８】
0003649715.tif 000009
【図９】
0003649715.tif 000010
【図１０】
0003649715.tif 000011